(57)【要約】      （修正有）【課題】振動モーターの駆動力が増大し、性能がさらに改善でき、且つ構成が簡単で、実用性が高い振動モータを提供する。【解決手段】振動モーター１００は、収容空間を有するケーシングと、収容空間内に収容されているコイルアッセンブリ２及び磁石鋼セット４１、４３とを備える。コイルアッセンブリは、コイル２１及びコイルを支持するためのコイル架台を２３含み、コイル架台は、架台本体及び架台本体から屈曲して延在している複数の支持脚を備え、支持脚とケーシングとが接続され、架台本体は複数の支持脚によってケーシングに固定される。コイルは、架台本体に設置されることにより、磁石鋼セットに対向して間隔を置いて設置されている。【選択図】図１
2018051560.tif 000002
【特許請求の範囲】
【請求項１】
収容空間を有するケーシングと、前記収容空間内に収容されているコイルアッセンブリ及び磁石鋼セットとを備える振動モーターであり、
前記コイルアッセンブリは、コイル及び前記コイルを支持するためのコイル架台を含み、前記コイル架台は、架台本体及び前記架台本体から屈曲して延在している複数の支持脚を備え、前記支持脚と前記ケーシングとが接続され、前記架台本体は前記複数の支持脚によって前記ケーシングに固定され、前記コイルは、前記架台本体に設置されることにより、前記磁石鋼セットに対向して間隔を置いて設置されていることを特徴とする
振動モーター。
【請求項２】
前記架台本体は、対向して間隔を置いて設置されている二つの支持部及び二つの前記支持部を接続する側壁を含み、前記支持部及び前記側壁によって前記コイルを収容する収容部が囲まれて形成されていることを特徴とする
請求項１に記載の振動モーター。
【請求項３】
前記２つの支持部は何れもＬ字形を成していることを特徴とする
請求項２に記載の振動モーター。
【請求項４】
何れかの前記支持部の両端には、前記支持脚が延在していることを特徴とする
請求項３に記載の振動モーター。
【請求項５】
前記支持脚は、前記支持部から屈曲して延在している第一の延在部及び前記第一の延在部から垂直に延在している第二の延在部を有することを特徴とする
請求項４に記載の振動モーター。
【請求項６】
前記架台本体は、前記支持脚の第二の延在部によって前記ケーシングに固定されていることを特徴とする
請求項５に記載の振動モーター。
【請求項７】
前記ケーシングは、主ハウジング及び前記主ハウジングと共に前記収容空間を囲むように形成されている蓋板を含み、前記主ハウジングは、底板及び前記底板から屈曲して延在している複数の側壁を含み、前記支持脚が前記底板上に固定されていることを特徴とする
請求項１に記載の振動モーター。
【請求項８】
前記磁石鋼セットは、第一の磁石鋼セット及び第二の磁石鋼セットを含み、前記コイル架台によって前記コイルを片持ちで前記第一の磁石鋼セットと第二の磁石鋼セットとの間に支持されていることを特徴とする
請求項１に記載の振動モーター。
【請求項９】
前記第一の磁石鋼セットは、第一のカウンタウエイト及び前記第一のカウンタウエイト内に収容されている第一の磁石鋼を含み、前記第二の磁石鋼セットは、第二のカウンタウエイト及び前記第二のカウンタウエイト内に収容されている第二の磁石鋼を含み、
前記第一のカウンタウエイトは、底部及び前記底部の両側から屈曲して延在している側部を有し、前記底部には前記第一の磁石鋼を収容するための第一の収容孔が設けられ、前記第二のカウンタウエイトは、前記第一のカウンタウエイトの両側部の間に嵌設され、且つ前記第一のカウンタウエイトの底部と一定の距離を置いて設置され、前記第二のカウンタウエイトには、前記第二の磁石鋼を収容するための第二の収容孔が設けられていることを特徴とする
請求項８に記載の振動モーター。
【請求項１０】
前記架台本体によって前記コイルが前記第一のカウンタウエイトと前記第二のカウンタウエイトの底部との間の隙間内に支持され、前記架台本体の２つの側壁の長さは、前記第一のカウンタウエイトの底部の同一方向上の長さより長いことで、前記架台本体が前記第一のカウンタウエイトの底部を跨らせることを特徴とする
請求項９に記載の振動モーター。
【発明の詳細な説明】
【技術分野】
【０００１】
本発明は振動モーターに関し、特に携帯式の消耗性電子製品に適用される振動モーターに関する。
【背景技術】
【０００２】
電子技術の発展に伴い、携帯式の消耗性電子製品、例えば、携帯、携帯ゲーム機、ナビゲーション装置又は携帯マルチメディア娯楽設備などは、益々多くの人々に愛されて流行っている。これらの電子製品では、一般的に振動モーターが利用されてシステムフィードバック、例えば携帯の着信表示、メッセージ表示、ナビゲーション表示、ゲーム機の振動フィードバックなどに組み込まれている。
【０００３】
係る技術における振動モーターにおいて、コイルの一側は蓋板の表面に設置され、コイルの他側は、磁気回路に設置されている。これによって、コイルによる磁界は、磁気回路に十分に利用できず、振動モーターは駆動力不足になる欠陥がある。
【０００４】
従って、前記欠陥を克服するために、新たな振動モーターを提供する必要がある。
【発明の概要】
【発明が解決しようとする課題】
【０００５】
係る技術における振動モーターの駆動力不足という課題を解決するために、本発明は一種の振動モーターを提案した。
【課題を解決するための手段】
【０００６】
上記技術課題を解決するために、本発明に一種の振動モーターを提供する。前記振動モーターは、収容空間を有するケーシングと、前記収容空間内に収容されているコイルアッセンブリ及び磁石鋼セットとを備え、前記コイルアッセンブリは、コイル及び前記コイルを支持するためのコイル架台を含み、前記コイル架台は、架台本体及び前記架台本体から屈曲して延在している複数の支持脚を備え、前記支持脚と前記ケーシングとが接続され、前記架台本体は前記複数の支持脚によって前記ケーシングに固定され、前記コイルは、前記架台本体に設置されることにより、前記磁石鋼セットに対向して間隔を置いて設置されている。
【０００７】
本発明の好ましい実施例において、前記架台本体は、対向して間隔を置いて設置されている二つの支持部及び二つの前記支持部を接続する側壁を含み、前記支持部及び前記側壁によって前記コイルを収容する収容部が囲まれて形成されている。
【０００８】
本発明の好ましい実施例において、前記二つの支持部は何れもＬ字形を成している。
【０００９】
本発明の好ましい実施例において、何れかの前記支持部の両端には、前記支持脚が延在している。
【００１０】
本発明の好ましい実施例において、前記支持脚は、前記支持部から屈曲して延在している第一の延在部及び前記第一の延在部から垂直に延在している第二の延在部を有する。
【００１１】
本発明の好ましい実施例において、前記架台本体は、前記支持脚の第二の延在部によって前記ケーシングに固定されている。
【００１２】
本発明の好ましい実施例において、前記ケーシングは、主ハウジング及び前記主ハウジングと共に前記収容空間を囲むように形成されている蓋板を含み、前記主ハウジングは、底板及び前記底板から屈曲して延在している複数の側壁を含み、前記支持脚が前記底板上に固定されている。
【００１３】
本発明の好ましい実施例において、前記磁石鋼セットは、第一の磁石鋼セット及び第二の磁石鋼セットを含み、前記コイル架台によって前記コイルを片持ちで前記第一の磁石鋼セットと第二の磁石鋼セットとの間に支持されている。
【００１４】
本発明の好ましい実施例において、前記第一の磁石鋼セットは、第一のカウンタウエイト及び前記第一のカウンタウエイト内に収容されている第一の磁石鋼を含み、前記第二の磁石鋼セットは、第二のカウンタウエイト及び前記第二のカウンタウエイト内に収容されている第二の磁石鋼を含む。前記第一のカウンタウエイトは、底部及び前記底部の両側から屈曲して延在している側部を有し、前記底部には前記第一の磁石鋼を収容するための第一の収容孔が設けられ、前記第二のカウンタウエイトは、前記第一のカウンタウエイトの両側部の間に嵌設され、且つ前記第一のカウンタウエイトの底部と一定の距離を置いて設置され、前記第二のカウンタウエイトには、前記第二の磁石鋼を収容するための第二の収容孔が設けられている。
【００１５】
本発明の好ましい実施例において、前記架台本体によって前記コイルが前記第一のカウンタウエイトと前記第二のカウンタウエイトの底部との間の隙間内に支持され、前記架台本体の２つの側壁の長さは、前記第一のカウンタウエイトの底部の同一方向上の長さより長いことで、前記架台本体が前記第一のカウンタウエイトの底部を跨らせる。
【００１６】
本発明に提供される振動モーターにおいて、前記コイルが前記コイルアッセンブリのコイル架台によって前記第一の磁石鋼セットと前記第二の磁石鋼セットとの間に片持ちで支持されているため、前記コイルに前記外部の電気信号の作用で生じた磁界の収率が向上することができ、前記振動モーターの駆動力が増大して前記振動モーターの性能がさらに改善でき、且つ構成が簡単で、実用性が高い。
【図面の簡単な説明】
【００１７】
本発明の実施例における技術的解決手段をより明確に説明するために、以下は実施例の説明に必要な図面について簡単に紹介する。明らかに、以下の説明に利用される図面は、本発明の幾つかの実施例に過ぎなく、当業者にとっては、創造的な労働をしないことを前提としたとしても、これらの図面からその他の図面を想到することができる。そのうち、
【図１】本発明に提供される振動モーターの好ましい実施例の斜視分解模式図である。
【図２】図１に示される振動モーターの取付後の断面図である。
【図３】図１に示される振動モーターにおけるコイルのコイル架台の構成模式図である。
【発明を実施するための形態】
【００１８】
以下は本発明の実施例の図面を参照しながら本発明の実施例における技術的解決手段を詳しく統合的に説明する。もちろん、説明の実施例は本発明の一部の実施例に過ぎなく、全部の実施例ではない。本発明における実施例に基づいて、当業者は、創造的な労働をしないことを前提として得られた全ての他の実施例はすべて本発明の保護範囲に含まれる。
【００１９】
同時に図１及び図２を参照し、図１は、本発明に提供される振動モーターの好ましい実施例の斜視分解模式図であり、図２は、図１に示される振動モーターの取付後の断面図である。前記振動モーター１００は、固定部材及び振動部材を備える。
【００２０】
前記固定部材は、ケーシング１、コイルアッセンブリ２及回路板３を含む。前記ケーシング１は、収容空間を有し、前記コイルアッセンブリ２が前記収容空間内に収容され、前記回路板３は、前記ケーシング１の表面に設置される。なお、前記コイルアッセンブリ２は、前記回路板３によって外部回路に接続されることにより電気信号の入力を実現する。
【００２１】
具体的に、前記ケーシング１は、主ハウジング１１及び前記主ハウジング１１にカバーして接続される蓋板１３を含み、前記主ハウジング１１と前記蓋板１３とによって囲まれる前記収容空間が形成される。前記主ハウジング１１は、底板１１１及び前記底板１１１に直交している側壁１１３を備える。前記主ハウジング１１は、前記コイルアッセンブリ２に近い側壁１１３が垂直に外へ延在して支持プラットホーム１１３１を形成し、前記支持プラットホーム１１３１によって前記回路板３を支持することができる。
【００２２】
前記コイルアッセンブリ２は、コイル２１及び前記コイル２１を支持するためのコイル架台２３を備える。前記コイル２１は、リード線２１１を含み、前記リード線２１１は、前記コイル２１の前記支持プラットホーム１１３１に近い一端から引き出し、且つ前記引線２１１は、支持プラットホーム１１３１が形成されている側壁１１３に密着して設置されると共に、前記回路板３の表面にスポット溶接されている。
【００２３】
図３に示されるように、前記コイル架台２３は、架台本体２３１及び前記架台本体２３１から屈曲して延在している複数の支持脚２３３を備える。前記架台本体２３１は、対向して間隔を置いて設置されている二つの支持部２３１１及び前記２つの支持部２３１１に接続されている側壁２３１３を備える。前記支持部２３１１は全体的に「Ｌ」字形を成しており、且つ前記側壁２３１３と共に前記コイル２１を収容するための収容部２３５を囲むように形成される。前記支持部２３１１は、それぞれ前記コイル２１の両端を支持していると共に、前記側壁２３１３に合わせて前記コイル２１の移動を制限するように前記コイル２１を囲む。前記収容部２３５によって、前記電気信号の作用で前記コイル２１に生じた磁界に対する前記コイル架台２３による損耗を低下させることができる。
【００２４】
なお、いずれかの前記支持部２３１１の両端には、前記支持脚２３３が延在している。前記支持脚２３３は、前記支持部２３１１から屈曲して延在している第一の延在部２３３１及び前記第一の延在部２３３１から垂直に延在している第二の延在部２３３３を含む。前記支持脚２３３は、前記第二の延在部２３３３によって前記主ハウジング１１の底板１１１に固定接続されている。好ましくは、前記支持脚２３３は、前記第二の延在部２３３３によって前記底板１１１に溶接固定されている。本実施例において、前記コイル架台２３は、４つの支持脚２３３を備え、４つの支持脚２３３のそれぞれは、前記架台本体２３１の４隅に設けられている。その他の代替実施例において、前記支持脚２３３の個数は４つに限定されてなく、前記コイル架台２３は、他の適切な個数の前記支持脚２３３を有しても良い。
【００２５】
前記回路板３は、普通の回路板であり、その全体は前記支持プラットホーム１１３１の表面に設置されている。前記回路板３の形状は全体的に前記支持プラットホーム１１３１と同じであり、且つ、回路板３のサイズは前記支持プラットホーム１１３１のサイズよりも小さい。その他の代替実施例において、前記回路板３は、他の適切な形で引き出されても良く、本発明においては限定されるものではない。
【００２６】
前記振動部材は、前記ケーシング１の収容空間内に収容され、且つ前記振動部材は、磁石鋼セット４、極コア５及び弾性のコネクター６を含む。そのうち、前記極コア５が前記磁石鋼セット４の表面に設置され、且つ前記磁石鋼セット４が、前記弾性のコネクター６によって囲まれる空間内に片持ちで支持されている。
【００２７】
前記磁石鋼セット４は、対向して設置されている第一の磁石鋼セット４１及び第二の磁石鋼セット４３を含む。前記第一の磁石鋼セット４１は、第一のカウンタウエイト４１１及び前記第一のカウンタウエイト４１１内に収容されている第一の磁石鋼４１３を含む。且つ前記第一のカウンタウエイト４１１は、底部及び前記底部の両側から屈曲して延在している側部を含み、前記底部に前記第一の磁石鋼４１３を収容するための第一の収容孔４１１１が形成されている。
【００２８】
前記第二の磁石鋼セット４３は、第二のカウンタウエイト４３１及び前記第二のカウンタウエイト４３１内に収容されている第二の磁石鋼４３３を含む。そのうち、前記第二のカウンタウエイト４３１には、前記第二の磁石鋼４３３を収容するための第二の収容孔４３１１が形成されている。
【００２９】
前記磁石鋼セット４において、前記第二のカウンタウエイト４３１が前記第一のカウンタウエイト４１１の両側部の間に嵌設され、且つ前記第一のカウンタウエイト４１１の底部とは一定の距離を置いている。以上から分かるように、前記第一の磁石鋼４１３及び前記第二の磁石鋼４３３は対向して間隔を置いて設置されている。
【００３０】
本実施例において、前記コイルアッセンブリ２のコイル架台２３によって前記コイル２１を片持ちで前記第一の磁石鋼セット４１と第二の磁石鋼セット４３との間に支持されている。即ち、前記コイル架台２３によって前記コイル２１が前記第一のカウンタウエイト４１１と前記第二のカウンタウエイト４３１の底部との間にある隙間内に位置するように支持されている。前記コイル架台２３は、前記複数の支持脚２３３によって前記ケーシング１に固定されているため、理解すべきなのは、前記架台本体２３１の２つの側壁２３１３の長さは、前記第一のカウンタウエイト４１１の底部の同一方向上の長さより長いため、前記架台本体２３１は前記第一のカウンタウエイト４１１の底部に跨ることが可能である。前記支持脚２３３の第一の延在部２３３１の高さは、前記第一のカウンタウエイト４１１の底部の同一方向の厚さより高いため、前記コイル２１を前記第一の磁石鋼セット４１と前記第二の磁石鋼セット４３との間に片持ちで設置することが可能である。
【００３１】
前記極コア５は磁気伝導材料で作られる。本実施例において、前記極コア５は、２つが設置され、それぞれは、前記磁石鋼セット４の底面と天井面に設置されている。前記極コア５によって有効に磁界を遮断することができるため、前記ケーシング１の表面に磁界の強さが弱くなり、製品の磁気漏れを低下させることができる。
【００３２】
前記弾性のコネクター６は、第一の接続部６１、第二の接続部６３及び前記第一の接続部６１と前記第二の接続部６３とを接続させるための第三の接続部６５を含む。前記弾性のコネクター６は、前記第一の接続部６１及び前記第二の接続部６３によってそれぞれ前記ケーシング１及び前記第一のカウンタウエイト４１１に接続されている。なお、前記第三の接続部６５と前記ケーシング１とは間隔を置いて設置されている。前記弾性のコネクター６による接続の安定性を向上させるために、前記第一の接続部６１及び／又は前記第二の接続部６３の表面にガスケット６７が設けられている。
【００３３】
さらに、前記振動モーター１００は、減衰部品７及びストッパー８をさらに含んでも良い。前記減衰部品７は、前記第三の接続部６５と前記磁石鋼セット４との間に設置され、前記ストッパー８は、前記弾性のコネクター６及び前記主ハウジング１１との間に設置され、且つ前記底板１１１の表面に固定されている。前記減衰部品７は弾性変形可能であり、前記磁石鋼セット４と前記弾性のコネクター６との間の対向動作をクッションすることにより、衝撃で前記振動モーター１００が失効となってしまうことを防止することが可能である。前記ストッパー８によって前記弾性のコネクター６と前記主ハウジング１１との間の衝撃を制限することが可能である。
【００３４】
前記振動モーター１００が動作するとき、前記コイルアッセンブリ２へは、前記回路板３から外部の電気信号を入力し、前記外部の電気信号の作用で磁界が生じて、前記磁界によって前記磁石鋼セット４の動作を駆動することで前記振動モーター１００の動作を実現する。本実施例において、前記コイルアッセンブリ２のコイル架台２３によって前記コイル２１が前記第一の磁石鋼セット４１と第二の磁石鋼セット４３との間に形成された二つの磁気回路の間に片持ちで支持されているため、前記コイル２１に生じた磁界の収率が向上し、前記振動モーター１００の駆動力が増大する。
【００３５】
その他の代替実施例において、前記コイルアッセンブリ２と前記磁石鋼セット４とを入れ替えても良く、例えば、前記コイルアッセンブリ２を前記振動部材の一部として形成してもよく、前記磁石鋼セット４を前記固定部材の一部として形成してもよい。
【００３６】
本発明に提供される振動モーター１００において、前記コイル２１が前記コイルアッセンブリ２のコイル架台２３によって前記第一の磁石鋼セット４１と前記第二の磁石鋼セット４３との間に片持ちで支持されているため、前記コイル２１に前記外部の電気信号の作用で生じた磁界の収率が向上することができ、前記振動モーター１００の駆動力が増大して前記振動モーター１００の性能がさらに改善でき、且つ構成が簡単で、実用性が高い。
【００３７】
上述説明したのは、本発明の実施例であり、本発明の特許範囲を限定するものではなく、本発明の明細書及び図面の内容を用いて実現した等価構成又は等価変換フロー、又は他の関連する技術分野における直接又は間接運用は、全て同様に本発明の特許保護範囲内に含まれる。
【図１】
2018051560.tif 000003
【図２】
2018051560.tif 000004
【図３】
2018051560.tif 000005
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
収容空間を有するケーシングと、前記ケーシングの外側に設置される回路板と、前記収容空間内に収容されているコイルアッセンブリと、弾性のコネクター及び磁石鋼セットとを備える振動モーターであって、
前記コイルアッセンブリは、コイル及び前記コイルを支持するためのコイル架台を含み、前記回路板は前記コイルに電気に接続され、前記コイル架台は、架台本体及び前記架台本体から屈曲して延在している複数の支持脚を備え、前記支持脚と前記ケーシングとが接続され、前記架台本体は前記複数の支持脚によって前記ケーシングに固定され、前記コイルは、前記架台本体に設置されることにより、前記磁石鋼セットに対向して間隔を置いて設置され、
前記振動モーターの厚み方向において、前記回路板は、前記磁石鋼セットよりも前記ケーシングに近いことを特徴とする
振動モーター。
【請求項２】
前記磁石鋼セットは、第一の磁石鋼セット及び第二の磁石鋼セットを含み、前記コイル架台により、前記第一の磁石鋼セットと前記第二の磁石鋼セットとの間の隙間内に前記コイルが支持されていることを特徴とする
請求項１に記載の振動モーター。
【請求項３】
前記第一の磁石鋼セットは、第一のカウンタウエイト及び前記第一のカウンタウエイト内に収容されている第一の磁石鋼を含み、
前記第二の磁石鋼セットは、第二のカウンタウエイト及び前記第二のカウンタウエイト内に収容されている第二の磁石鋼を含み、
前記第一のカウンタウエイトは、底部及び前記底部の両側から屈曲して延在している側部を有し、前記底部には前記第一の磁石鋼を収容するための第一の収容孔が設けられ、前記第二のカウンタウエイトは、前記第一のカウンタウエイトの両側部の間に嵌設され、且つ前記第一のカウンタウエイトの前記底部と一定の距離を置いて設置され、前記第二のカウンタウエイトには、前記第二の磁石鋼を収容するための第二の収容孔が設けられ、
前記ケーシングは底板を含み、前記振動モータ全体は、前記底板に垂直な方向に略矩形の投影を有し、前記略矩形の長手が位置する方向は長手方向であり、前記略矩形の短手が位置する方向は、短手方向であり、
前記弾性のコネクターは、長手方向に質量ブロックの両端に対称的に設けられていることを特徴とする
請求項２に記載の振動モーター。
【請求項４】
前記ケーシングは、主ハウジング及び前記主ハウジングと共に前記収容空間を囲むように形成されている蓋板を含み、前記振動モーターの厚み方向において、前記回路板は、前記磁石鋼セットよりも前記ケーシングの蓋板に近いことを特徴とする
請求項１に記載の振動モーター。
【請求項５】
前記支持脚が前記底板上に固定されていることを特徴とする
請求項４に記載の振動モーター。
【請求項６】
前記架台本体は、対向して間隔を置いて設置されている二つの支持部及び二つの前記支持部を接続する側壁を含み、前記支持部及び前記側壁によって前記コイルを収容する収容部が囲まれて形成されていることを特徴とする
請求項１に記載の振動モーター。
【請求項７】
前記支持脚は、支持部から屈曲して延在している第一の延在部及び前記第一の延在部から垂直に延在している第二の延在部を有することを特徴とする
請求項５に記載の振動モーター。
【請求項８】
前記架台本体は、前記支持脚の第二の延在部によって前記ケーシングに固定されていることを特徴とする
請求項７に記載の振動モーター。